(57)【要約】【課題】ユーザが告知放送を聞き逃してしまうという可能性を低減させることを可能とする、告知放送システムを提供すること。【解決手段】放送情報を含む放送信号を受信して少なくとも告知放送を行う親機４０、及び子機６０を備える告知放送システム１であって、親機４０は、放送センターから送信された放送信号を受信する受信端子４１と、受信端子４１により放送信号を受信した場合、放送情報を出力することで放送を行うスピーカ５０と、受信端子４１により放送信号を受信した場合、放送信号を子機６０に対して送信する送信アンテナ４５と、を備え、子機６０は、送信アンテナ４５から送信された放送信号を受信する受信アンテナ６１と、受信アンテナ６１により放送信号を受信した場合、放送情報を出力することで放送を行うスピーカ７０と、を備えた。【選択図】図２
2013255043.tif 000002
【特許請求の範囲】
【請求項１】
放送情報を含む放送信号を受信して少なくとも告知放送を行う第一受信機、及び第二受信機を備える告知放送システムであって、
前記第一受信機は、
放送センターから送信された前記放送信号を受信する第一下り受信手段と、
前記第一下り受信手段により放送信号を受信した場合、前記放送情報を出力することで放送を行う第一放送出力手段と、
前記第一下り受信手段により放送信号を受信した場合、当該放送信号を前記第二受信機に対して送信する第一送信手段と、を備え、
前記第二受信機は、
前記第一送信手段から送信された前記放送信号を受信する第二受信手段と、
前記第二受信手段により放送信号を受信した場合、前記放送情報を出力することで放送を行う第二放送出力手段と、を備える、
告知放送システム。
【請求項２】
前記第一受信機と前記第二受信機とは無線接続される、
請求項１に記載の告知放送システム。
【請求項３】
一つの前記第一受信機に対して複数の前記第二受信機が接続される、
請求項１又は２に記載の告知放送システム。
【請求項４】
前記第二受信機は、前記第二放送出力手段において放送を行うか否かの判断を行うためのアドレスを記憶する記憶手段を備え、
前記第二放送出力手段は、前記放送信号に含まれるアドレスと前記記憶手段に記憶されたアドレスが一致した場合のみ前記放送情報を出力し、放送を行う、
請求項３に記載の告知放送システム。
【請求項５】
前記第一放送出力手段及び前記第二放送出力手段は前記放送信号に含まれる放送属性に基づいて放送を行うか否かの判断を行う、
請求項４に記載の告知放送システム。
【請求項６】
前記第二放送出力手段は、前記放送属性が緊急告知放送である場合は、前記放送信号に含まれるアドレスと前記記憶手段に記憶されたアドレスとが一致しない場合であっても前記放送情報を出力することで放送を行う、
請求項５に記載の告知放送システム。
【請求項７】
前記第一送信手段は、前記放送信号に含まれる前記放送属性に基づいて当該放送信号を送信するか否かの判断を行う、
請求項１から６に記載の告知放送システム。
【請求項８】
前記第一受信機は、複数の第一受信機の相互間で複数のグループを構成するためのグループアドレスを記憶する第一記憶手段を備え、
前記第一放送出力手段は、前記放送信号に含まれるアドレスと当該第一記憶手段に記憶されたグループアドレスとが一致した場合のみ前記放送情報を出力して放送を行い、
前記第二受信機は、複数の第二受信機の相互間で複数のグループを構成するためのグループアドレスを記憶する第二記憶手段を備え、
前記第二放送出力手段は、前記放送信号に含まれるアドレスと当該第二記憶手段に記憶されたグループアドレスとが一致した場合のみ前記放送情報を出力して放送を行い、
前記第一記憶手段と第二記憶手段には、同一又は異なるグループアドレスを記憶することが可能である、
請求項３から７のいずれか一項に記載の告知放送システム。
【請求項９】
前記第二受信機は、前記第一受信機を介さずに前記放送センターからラジオ放送信号を受信するチューナーを備えた、
請求項１から８のいずれか一項に記載の告知放送システム。
【請求項１０】
前記第二受信機は、信号を第一受信機に対して送信する第二送信手段を備え、
前記第一受信機は、前記第二送信手段から送信された信号を受信する第一上り受信手段を備える、
請求項１から９のいずれか一項に記載の告知放送システム。
【請求項１１】
前記第一受信機は、音声を入力する入力手段と、
前記入力手段により入力された音声を格納する格納手段とを備え、
前記第二受信機は、前記格納手段に格納された音声の再生指示の入力を受け付ける再生指示手段を備えた、
請求項１から１０のいずれか一項に記載の告知放送システム。
【請求項１２】
前記第二受信機は、ユーザから報知指示の入力を受け付ける報知指示手段を備え、
前記第一受信機は、報知処理を行う報知手段を備え、
前記報知指示手段が操作された場合、前記第二送信手段は、前記第一上り受信手段に対して報知信号を送信し、
前記第一上り受信手段に対して報知信号が送信された場合、前記報知手段は、報知処理を行う、
請求項１０又は１１に記載の告知放送システム。
【請求項１３】
前記第一受信機又は前記第二受信機は、試験的稼動を指示する試験指示手段を備え、
いずれかの前記試験指示手段が操作された場合、前記第一放送出力手段、前記第一送信手段、前記第二受信手段、及び前記第二放送出力手段を試験的に動作させる、
請求項１から１２のいずれか一項に記載の告知放送システム。
【発明の詳細な説明】
【技術分野】
【０００１】
本発明は、告知放送を行うための告知放送システムに関する。
【背景技術】
【０００２】
近年、放送センターから複数の住戸に対して告知放送信号を送信し、当該告知放送信号を受信した受信機により告知放送を行うための告知放送システムが普及している。この告知放送システムは、概略的に、放送センターに配置され告知放送信号を発信するセンター装置、センター装置から送信された告知放送信号を各住戸に伝送する伝送系統２０、及び各住戸の屋内に配置され告知放送信号を受信し告知放送を行う受信機（告知放送受信機）を備えて構成されている（例えば、特許文献１参照）。
【０００３】
この告知放送システムでは、告知放送が行われた時に不在等の理由で利用者が放送を聴くことができない可能性を考慮して、告知放送を所定回数分だけ録音及び再生するための録音再生機能を受信機に設けることが行われている。この場合、告知放送が行われると当該告知放送が自動的に受信機の録音再生機能で録音され、ユーザの操作によって再生指示を受けた場合に、録音した告知放送が再生される（例えば、特許文献２参照）。このように、録音再生機能を備えた告知放送システムの受信機によれば、ユーザが所望する際に告知放送を聴取することが可能であるため、ユーザが不在時に受信機が放送信号を受信した場合であっても、告知放送を聴取することが可能となる。
【先行技術文献】
【特許文献】
【０００４】
【特許文献１】特開平９−８７５３号公報
【特許文献２】特開２００６−２６１９５６号公報
【発明の概要】
【発明が解決しようとする課題】
【０００５】
しかしながら、上記従来の告知放送システムでは、受信機が各住戸に一つしか設置されていないため、ユーザは住戸内における受信機が設置されている位置の近傍でないと告知放送を聴取することが出来ない状況にあった。ここで、緊急告知放送等の緊急性の高い告知放送等は、録音したものを再生して聴取するのではなく通常の放送出力として現行で聴取する必要があるが、例えばユーザが住戸内における受信機が設置されている部屋以外の部屋に居る際に受信機が緊急告知放送を行った場合、当該緊急告知放送を聞き逃してしまう可能性があった。
【０００６】
本発明は、上記に鑑みてなされたものであって、ユーザが告知放送を聞き逃してしまうという可能性を低減させることを可能とする、告知放送システムを提供することを目的とする。
【課題を解決するための手段】
【０００７】
上述した課題を解決し、目的を達成するために、請求項１に記載の告知放送システムは、放送情報を含む放送信号を受信して少なくとも告知放送を行う第一受信機、及び第二受信機を備える告知放送システムであって、前記第一受信機は、放送センターから送信された前記放送信号を受信する第一下り受信手段と、前記第一下り受信手段により放送信号を受信した場合、前記放送情報を出力することで放送を行う第一放送出力手段と、前記第一下り受信手段により放送信号を受信した場合、当該放送信号を前記第二受信機に対して送信する第一送信手段と、を備え、前記第二受信機は、前記第一送信手段から送信された前記放送信号を受信する第二受信手段と、前記第二受信手段により放送信号を受信した場合、前記放送情報を出力することで放送を行う第二放送出力手段と、を備えた。
【０００８】
また、請求項２に記載の告知放送システムは、請求項１に記載の告知放送システムであって、前記第一受信機と前記第二受信機とは無線接続される。
【０００９】
また、請求項３に記載の告知放送システムは、請求項１又は２に記載の告知放送システムであって、一つの前記第一受信機に対して複数の前記第二受信機が接続される。
【００１０】
また、請求項４に記載の告知放送システムは、請求項３に記載の告知放送システムであって、前記第二受信機は、前記第二放送出力手段において放送を行うか否かの判断を行うためのアドレスを記憶する記憶手段を備え、前記第二放送出力手段は、前記放送信号に含まれるアドレスと前記記憶手段に記憶されたアドレスが一致した場合のみ前記放送情報を出力し、放送を行う。
【００１１】
また、請求項５に記載の告知放送システムは、請求項４に記載の告知放送システムであって、前記第一放送出力手段及び前記第二放送出力手段は放送信号に含まれる放送属性に基づいて告知放送を行うか否かの判断を行う。
【００１２】
また、請求項６に記載の告知放送システムは、請求項５に記載の告知放送システムであって、前記第二放送出力手段は、前記放送属性が緊急告知放送である場合は、前記放送信号に含まれるアドレスと前記記憶手段に記憶されたアドレスとが一致しない場合であっても前記放送情報を出力することで放送を行う。
【００１３】
また、請求項７に記載の告知放送システムは、請求項１から６のいずれか一項に記載の告知放送システムであって、前記第一送信手段は、前記放送信号に含まれる前記放送属性に基づいて当該放送信号を送信するか否かの判断を行う。
【００１４】
また、請求項８に記載の告知放送システムは、請求項３から７のいずれか一項に記載の告知放送システムであって、前記第一受信機は、複数の第一受信機の相互間で複数のグループを構成するためのグループアドレスを記憶する第一記憶手段を備え、前記第一放送出力手段は、前記放送信号に含まれるアドレスと当該第一記憶手段に記憶されたグループアドレスとが一致した場合のみ前記放送情報を出力して放送を行い、前記第二受信機は、複数の第二受信機の相互間で複数のグループを構成するためのグループアドレスを記憶する第二記憶手段を備え、前記第二放送出力手段は、前記放送信号に含まれるアドレスと当該第二記憶手段に記憶されたグループアドレスとが一致した場合のみ前記放送情報を出力して放送を行い、前記第一記憶手段と第二記憶手段には、同一又は異なるグループアドレスを記憶することが可能である。
【００１５】
また、請求項９に記載の告知放送システムは、請求項１から８のいずれか一項に記載の告知放送システムであって、前記第二受信機は、前記第一受信機を介さずに前記放送センターからラジオ放送信号を受信するチューナーを備えた。
【００１６】
また、請求項１０に記載の告知放送システムは、請求項１から９のいずれか一項に記載の告知放送システムであって、前記第二受信機は、信号を第一受信機に対して送信する第二送信手段を備え、前記第一受信機は、前記第二送信手段から送信された信号を受信する第一上り受信手段を備える。
【００１７】
また、請求項１１に記載の告知放送システムは、請求項１から１０のいずれか一項に記載の告知放送システムであって、前記第一受信機は、音声を入力する入力手段と、前記入力手段により入力された音声を格納する格納手段とを備え、前記第二受信機は、前記格納手段に格納された音声の再生指示の入力を受け付ける再生指示手段を備えた。
【００１８】
また、請求項１２に記載の告知放送システムは、請求項１０又は１１に記載の告知放送システムであって、前記第二受信機は、ユーザから報知指示の入力を受け付ける報知指示手段を備え、前記第一受信機は、報知処理を行う報知手段を備え、前記報知指示手段が操作された場合、前記第二送信手段は、前記第一上り受信手段に対して報知信号を送信し、前記第一上り受信手段に対して報知信号が送信された場合、前記報知手段は、報知処理を行う。
【００１９】
また、請求項１３に記載の告知放送システムは、請求項１から１２のいずれか一項に記載の告知放送システムであって、前記第一受信機又は前記第二受信機は、試験的稼動を指示する試験指示手段を備え、いずれかの前記試験指示手段が操作された場合、前記第一放送出力手段、前記第一送信手段、前記第二受信手段、及び前記第二放送出力手段を試験的に動作させる。
【発明の効果】
【００２０】
請求項１に記載の告知放送システムによれば、第一受信機は受信した放送信号を送信することができ、第二受信機は第一受信機より送信された放送信号を受信して告知放送を行うことができるため、ユーザが第一受信機の近傍に居ない場合であっても第二受信機を介して告知放送を聴取することが可能であり、ユーザが告知放送を聞き逃してしまうという可能性を低減させることが可能である。
【００２１】
また、請求項２に記載の告知放送システムによれば、第一受信機から無線送信された放送信号に係る放送情報が第二受信機から出力されて放送されるため、ユーザが、受信機を設置した特定の位置に居ない場合であっても、当該第二受信機を携帯することで告知放送を聴取することが可能となる。また、第一受信機と第二受信機とを有線接続することが困難な場所においても告知放送を聴取することが可能である。
【００２２】
また、請求項３に記載の告知放送システムによれば、第二受信機を複数の位置に分散させて設置することが可能であり、告知放送を複数の位置において聴取することができるため、ユーザが告知放送を聞き逃してしまうという可能性をより一層低減させることが可能である。
【００２３】
また、請求項４に記載の告知放送システムによれば、第二受信機の記憶手段に記憶されたアドレスと同一のアドレスを含む放送信号に係る放送情報のみを当該第二受信機において出力することが可能であるため、放送信号に含ませるアドレスを適宜設定することによって、複数の第二受信機のうちいずれの第二受信機において告知放送を行わせるかを設定することが可能である。
【００２４】
また、請求項５に記載の告知放送システムによれば、第一受信機及び第二受信機において、ユーザが所望する放送属性に係る放送についてのみ告知放送を行うことが可能であり、また、ユーザが所望しない放送属性に係る放送信号については告知放送を行わないことが可能であるため、よりユーザの要望に適した告知放送を行うことが可能である。
【００２５】
また、請求項６に記載の告知放送システムによれば、放送属性が緊急告知放送である場合は、放送信号に含まれるアドレスに関係なく、放送信号を受信した全ての第二受信機から緊急告知放送が行われるため、ユーザが緊急告知放送を聞き逃してしまう可能性を低減することが可能である。
【００２６】
また、請求項７に記載の告知放送システムによれば、第二受信機において、出力する必要がないとユーザが判断した告知放送信号については、第一受信機から第二受信機に対して送信しないことが可能であり、第二受信機が受信する放送信号の属性を第一受信機側で制御することが可能である。
【００２７】
また、請求項８に記載の告知放送システムによれば、複数の第一受信機と複数の第二受信機のそれぞれにグループアドレスを設定することができるため、複数の第一受信機あるいは複数の第二受信機に対して一斉に信号を受信させることが可能である。また、第一受信機のグループアドレスと第二受信機のグループアドレスとを異なるアドレスとすることができるため、複数の第一受信機と複数の第二受信機に異なる放送信号を受信させることが可能である。
【００２８】
また、請求項９に記載の告知放送システムによれば、第二受信機にチューナーが備えつけられているため、第二受信機は、放送センターから送信されたラジオ信号を第一受信機を介さずに受信することが可能であり、第一受信機と第二受信機とが接続出来ない状態にあっても、チューナーを介してラジオ放送信号を放送センターから直接受信することが可能である。
【００２９】
また、請求項１０に記載の告知放送システムによれば、第二受信機から第一受信機に対して信号を送信することができるため、第一受信機と第二受信機との相互間において信号の送受信が可能となる。
【００３０】
また、請求項１１に記載の告知放送システムによれば、第一受信機の入力手段において入力した音声を第二受信機で再生することができるため、第一受信機近傍のユーザから第二受信機近傍の別のユーザに対してメッセージを送信することが可能である。
【００３１】
また、請求項１２に記載の告知放送システムによれば、第二受信機の報知指示手段を操作することで第一受信機が報知処理を行うことができるため、ユーザが火事等の異常を察知した際に第二受信機の報知指示手段を操作することで第一受信機近傍の別のユーザに対して迅速に異常を通知することが可能となる。
【００３２】
また、請求項１３に記載の告知放送システムによれば、第一受信機又は第二受信機に設けられた試験指示手段を操作することで第一受信機及び第二受信機の動作試験を行うことができるため、第一受信機及び第二受信機が適切に動作するかの確認を容易に行うことが可能である。
【図面の簡単な説明】
【００３３】
【図１】本発明の実施の形態１に係る告知放送システムを機能概念的に示したブロック図である。
【図２】実施の形態１に係る告知放送システムの受信機としての親機及び子機の概要図である。
【図３】実施の形態２に係る告知放送システムの受信機としての親機及び子機の概要図である。
【発明を実施するための形態】
【００３４】
以下に添付図面を参照して、この発明に係る告知放送システムの各実施の形態を詳細に説明する。まず、〔Ｉ〕各実施の形態に共通の基本的概念を説明した後、〔ＩＩ〕各実施の形態の具体的内容について説明し、〔ＩＩＩ〕最後に、各実施の形態に対する変形例について説明する。ただし、各実施の形態によって本発明が限定されるものではない。
【００３５】
〔Ｉ〕各実施の形態に共通の基本的概念
まず、実施の形態の基本的概念について説明する。本発明は、放送センターより送信された放送信号を各住戸等において受信する告知放送システムに関するものである。ここで、「告知放送システム」とは、放送センターから複数の住戸等に対して各種の告知放送（さらに場合によってはＴＶ放送）を行うためのシステムであって、放送センター側に配置されるセンター装置と、各住戸側に配置される受信機と、センター装置から送信された放送信号を受信機に送信する伝送系統を備えて構成されている。「放送信号」とは、放送のために送信する電波信号であって、例えば告知放送信号、ＴＶ放送信号、デジタルラジオ放送信号等を含む。また、光信号と電気信号の両方を含む概念であるが、本実施の形態においては、放送信号が電気信号であるものとして説明する。「放送情報」とは、放送信号に含まれる具体的な放送の内容に係る情報であって、例えば音声情報や画像情報を含む概念であるが、本実施の形態では、放送情報が放送に係る音声情報であるものとして説明する。「放送信号を送信する」とは、放送信号を放送波として無線にて送信すること、及び、放送信号を電線路や光伝送線路を介して有線にて送信することを含む。「放送センター」とは、センター装置が備えられた発信所であって、例えば役所、消防署、ＣＡＴＶ局などを含む。「センター装置」とは、放送信号を送信する装置である。「受信機」とは後述する親機と子機の両方を含む概念である。この内、「親機」とは、伝送系統を介して放送センターから放送信号を受信する受信機であり、「子機」とは、親機から送信された放送信号を受信する受信機であるが、特記する場合を除き、これら親機と子機を単に「受信機」と総称する。
【００３６】
この告知放送システムの特徴の一つは、概略的に受信機として親機と複数の子機とを備えており、これら親機と複数の子機とが無線接続されていることにある。
【００３７】
〔ＩＩ〕各実施の形態の具体的内容
次に、本発明に係る各実施の形態の具体的内容について説明する。
【００３８】
〔実施の形態１〕
最初に、実施の形態１について説明する。本実施の形態は、親機から子機に対して放送信号を無線送信することが可能である告知放送システムについての形態である。
【００３９】
（構成）
まず、この実施の形態に係る告知放送システム１の構成を説明する。図１は、本実施の形態に係る告知放送システム１を機能概念的に示したブロック図である。この図１に示すように、告知放送システム１は、センター側に配置されたセンター装置１０、センター装置１０から送信された放送信号を各住戸に送信する伝送系統２０、及び、各住戸に配置された受信機３０（告知放送受信機）を備えて構成されている。なお、特記する構成を除き、センター装置１０、伝送系統２０、及び受信機３０は、従来の告知放送システムと同様に構成することが出来る。
【００４０】
（構成−センター装置）
このうち、センター装置１０は、放送信号を送信する送信手段であり、操作部１１、表示部１２、マイク１３、ＢＧＭ源１４、メモリ１５、日時回路１６、送信部１７、及び制御部１８を備えて構成されている。
【００４１】
操作部１１は、当該センター装置１０に対する各種の操作を行うための操作手段であり、例えば、各種の図示しないスイッチを含んで構成されている。表示部１２は、所要の情報を操作者に向けて表示するための表示手段であり、例えば、図示しないモニタや表示灯を含んで構成されている。マイク１３は、放送用の音声を入力するための音声入力手段である。ＢＧＭ源１４は、放送用の背景音楽の音源になる音源手段である。メモリ１５は、当該センター装置１０の各種制御に必要な情報を記録する記録手段である。日時回路１６は、年月日及び時分を含んだ日時情報を出力する日時手段である。送信部１７は、放送信号をヘッドエンド２１へ送信する送信手段である。そして、制御部１８は、当該センター装置１０の各部を制御する制御手段であり、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている（後述する制御部５２、７２も同じ）。
【００４２】
（構成−伝送系統）
次に、伝送系統２０は、ヘッドエンド２１、このヘッドエンド２１から各住戸の受信機３０に至る伝送線路２２、さらに、この伝送線路２２に配置された、アンプ２３、分配増幅器２４、及び分配器２５を備えて構成されている。ヘッドエンド２１は、センター装置１０の送信部１７から送信された信号を受信し、この信号をレベル増幅した上で伝送線路２２に送出する増幅送信手段である。伝送線路２２は、放送信号を送信する送信線路であり、例えば、ＣＡＴＶ信号を伝送するＣＡＴＶ伝送線路（同軸ケーブル）が用いられる。アンプ２３は、伝送線路２２を流れる信号を増幅する増幅手段である。分配増幅器２４は、信号を増幅した上で、各住戸に向けて分配する分配増幅手段である。分配器２５は、分配増幅器２４にて増幅された信号を各住戸に向けて分配する分配手段である。
【００４３】
（構成−受信機）
次に、本実施の形態に係る受信機３０について説明する。受信機３０は、一つの親機４０に対して少なくとも一つ以上の子機６０が接続されていれば構わないが、本実施の形態では、親機４０が各住戸に一つずつ設けられており、それぞれの親機４０に対して複数の子機６０が接続されているものとして説明する。
【００４４】
図２は、実施の形態１に係る告知放送システム１の受信機３０としての親機４０及び子機６０の概要図である。以下では、図２を参照して受信機３０としての親機４０及び子機６０の構成について説明した後、これらの親機４０及び子機６０が行う処理について説明するものとする。
【００４５】
（構成−受信機−親機）
親機４０は、放送信号を受信して少なくとも告知放送を行う第一受信機である。この親機４０は、受信端子４１、変復調部４２、放送属性照合部４３、アドレス照合部４４、送信アンテナ４５、音声切換え部４６、音声記録部４７、音量調整部４８、アンプ４９、スピーカ５０、メモリ５１、制御部５２、操作部５３、及び表示部５４を備えて構成されている。また、親機４０には図示しない電源供給部が設けられており、この電源供給部に商用電源を接続する等して、親機４０に対して電源を供給することが可能である。
【００４６】
受信端子４１は、放送センターから送信された放送信号を受信する第一下り受信手段である。この受信端子４１は親機４０の筐体を外部から内部にかけて挿通する端子であり、同軸ケーブルを介して伝送系統２０の分配器２５と接続されている。このようにして親機４０と放送センターとが接続されることにより、放送センターから送信された放送信号が伝送系統２０及び受信端子４１を介して親機４０に送信される。
【００４７】
変復調部４２は、センター装置１０から送信された放送信号を復調あるいは変調する放送変復調手段であり、放送信号を放送属性照合部４３、送信アンテナ４５、及び制御部５２に出力する。
【００４８】
放送属性照合部４３は、放送信号に付与されている放送属性と、後述するメモリ５１に格納されている放送属性とが一致するか否かを照合し、一致する場合のみ放送信号をアドレス照合部４４に出力する放送属性照合手段である。ここで、「放送属性」とは、放送センターから送信される放送の内容がどのカテゴリーに分類されるかを示した情報であり、例えば町内会情報、地域イベント開催情報、緊急告知放送情報等のように、複数のカテゴリーに分けられている。そして、ユーザは、後述する操作部５３を操作することで、聴取を要望する放送属性のみをメモリ５１に登録しておくことが可能であり、このようにしてメモリ５１に登録された放送属性に係る放送信号についてのみを親機４０において放送することが可能である。なお、この放送属性照合部４３が行う詳細な処理については後述する。
【００４９】
アドレス照合部４４は、放送信号に付与されているアドレスと、後述するメモリ５１に格納されている親機４０のアドレスとが一致するか否かを照合し、これらのアドレスが一致する場合のみ放送信号を音声切換え部４６に出力するアドレス照合手段である。なお、このアドレス照合部４４が行う詳細な処理については後述する。
【００５０】
送信アンテナ４５は、当該放送信号を子機６０に対して送信する第一送信手段であり、変復調部４２により変調された放送信号を受信し、受信した放送信号の無線送信を行う。なお、変復調部４２から送信アンテナ４５に放送信号を送信する際に、当該放送信号に、送信対象となる子機６０のアドレスを付加することが可能であり、このようにして、特定の子機６０のみがこの送信アンテナ４５から送信した放送信号を受信することが可能となるように設定することができる。また、変復調部４２において放送信号に含まれる放送属性を判定し、この判定結果に基づいて、変復調部４２から送信アンテナ４５に対しての放送信号の出力を遮断することとしても良い。なお、これらの放送信号送信時に行われる詳細な処理については後述する。
【００５１】
音声切換え部４６は、放送属性照合部４３から出力された放送信号又はアドレス照合部４４から出力された放送信号を受信して音声記録部４７に音声情報を出力し、あるいは、放送属性照合部４３から出力された放送信号又はアドレス照合部４４から出力された放送信号を受信して音量調整部４８に音声情報を出力する音声切換え手段である。音声記録部４７は、センター装置から受信した音声情報を所定の複数回数録音可能な格納手段である。音量調整部４８は、音声情報の音量を調整する音量調整手段であり、音声切換え部４６から出力された音声情報の音量を調整してアンプ４９に出力する。アンプ４９は、音声情報を増幅する音声増幅手段であり、音量調整部４８から出力された音声情報を増幅し、スピーカ５０に出力する。このスピーカ５０は、音声情報を出力することで放送を行う第一放送出力手段である。
【００５２】
メモリ５１は、当該親機４０の各種制御に必要な情報を記録する記録手段であり、また、複数の親機４０の相互間で複数のグループを構成するためのグループアドレスを記憶する第一記憶手段である。なお、グループアドレス以外に、親機４０固有のアドレスを記憶することとしても良い。また、メモリ５１には子機６０のアドレスが登録されている。そして、ユーザはこの子機６０のアドレスの中から、放送信号の送信対象とする子機６０のアドレスを選択することが可能である。また、親機４０に属する子機６０の全てで一斉放送するための住戸内グループアドレスを記憶して、住戸内グループアドレスを指定して送信することで住戸内に設置された特定の複数の子機あるいは全ての子機に対する一斉放送を行うこともできる。なお、これらの処理については後述する。
【００５３】
そして、制御部５２は、当該親機４０の各部を制御する制御手段である。この制御部５２は、機能概念的に、録音制御部５２ａ及び再生制御部５２ｂを備える。録音制御部５２ａは、放送信号に含まれる音声情報の音声記録部４７による録音を制御する録音制御手段である。再生制御部５２ｂは、音声記録部４７にて録音された音声情報のスピーカ５０による再生を制御する再生制御手段である。
【００５４】
操作部５３は、当該受信機３０に対する各種の操作を行うための操作手段である。具体的には、ＦＭ放送の聴取を選択するためのＦＭ放送選択スイッチ、録音された告知放送の再生を指示するための告知再生スイッチ、放送音量を調節するためのボリュームスイッチなどが設けられている。表示部５４は、受信した放送信号に含まれる情報を視覚より認識できる態様で表示するものであり、例えば受信機３０の筐体の外面に配置された表示灯として構成される。
【００５５】
（構成−受信機−子機）
続いて、子機６０の構成について説明する。子機６０は、放送信号を受信して少なくとも告知放送を行う第二受信機である。この子機６０は、受信アンテナ６１、チューナー６２、変復調部６３、放送属性照合部６４、アドレス照合部６５、音声切換え部６６、音声記録部６７、音量調整部６８、アンプ６９、スピーカ７０、メモリ７１、制御部７２、操作部７３、及び表示部７４を備えて構成されている。なお、子機６０の構成は、親機４０と略同一の構成を採っているため、親機４０と相違する構成要素についてのみ説明し、親機４０と同一の構成要素についてはその詳細な説明を省略する。また、子機６０には図示しない電池式の電源供給部が設けられており、この電源供給部から子機６０の各部に対して電源を供給することが可能である。
【００５６】
受信アンテナ６１は、親機４０の送信アンテナ４５から送信された放送信号を受信する第二受信手段であり、受信した放送信号を子機６０の変復調部６３に出力する。このように、親機４０の送信アンテナ４５と子機６０の受信アンテナ６１が無線接続されていることにより、親機４０から子機６０に対して放送信号を送信することが可能となる。
【００５７】
チューナー６２は、親機４０を介さずに放送センターからラジオ放送信号を受信するチューナー６２である。このように、子機６０にチューナー６２を設けることによって、例えば親機４０と子機６０とが所定距離以上離れることにより親機４０と子機６０との無線接続が出来ない状態にあっても、チューナー６２を介してラジオ放送信号を放送センターから直接受信することが可能である。なお、このチューナー６２の構成については公知であるため、詳細な説明については省略する。また、このチューナーは親機側に設けても良く、親機側でもラジオ放送信号を聴取することも可能である。
【００５８】
メモリ７１は、子機６０のスピーカ７０において放送を行うか否かの判断を行うためのアドレスを記憶する記憶手段であり、また、複数の子機６０の相互間で複数のグループを構成するためのグループアドレスを記憶する第二記憶手段である。すなわち、子機６０のメモリ７１には、各子機６０固有のアドレス又はグループアドレスの少なくとも一方を記憶させておくことが可能であり、このメモリ７１に記憶されているアドレスに基づいて、放送信号を出力して放送を行うか否かを判断する。なお、この処理については後述する。
【００５９】
（処理）
次に、このように構成された受信機３０を用いて行われる処理について説明する。まずは告知放送システム１全体の処理について説明し、その後各詳細な処理について説明する。
【００６０】
（処理−告知放送システム全体の処理）
まず、放送センターは、伝送系統２０を介して各住戸の親機４０に対して放送信号を送信する。そして、親機４０の受信端子４１は、この放送信号を受信し、親機４０の変復調部４２に対して放送信号を出力する。そして親機４０の変復調部４２は入力された放送信号を変調し、放送属性照合部４３、アドレス照合部４４を介して音声切換え部４６に出力し、この放送信号を受信した音声切換え部４６は、音声情報を音量調整部４８に出力する。この音声情報は、音量調整部４８によって音量調整され、さらにアンプ４９によって増幅された上で、スピーカ５０から出力される。ここで、放送センターから送信されるこの放送信号には、放送属性に係る情報とアドレスに係る情報とが含まれている。そして、放送属性に係る情報に基づいて放送属性照合部４３は放送属性照合処理を行い、また、アドレスに係る情報に基づいてアドレス照合部４４はアドレス照合処理を行う。なお、これらの放送属性照合処理及びアドレス照合処理において、当該親機４０において音声情報を出力して告知放送を行うか否の判断、及び音声出力する際の音量等の制御が行われる。
【００６１】
なお、このようにしてスピーカ５０から出力が行われると共に、音声情報を録音するための録音処理が録音制御部５２ａにより実行されることで、音声情報が音声記録部４７によって記録される。その後、ユーザの再生指示を受けて、再生制御部５２ｂの制御により、音声記録部４７にて記録された音声情報が、音声切換え部４６を介して音量調整部４８に出力され、スピーカ５０から出力されるが、このような処理は公知の処理を採用することが可能であるため、その詳細な説明を省略する。
【００６２】
また、親機４０の変復調部４２は、受信端子４１から出力された放送信号を送信アンテナ４５に出力し、そして送信アンテナ４５は、この放送信号を子機６０に対して無線送信する（以下、放送信号送信処理）。こうして親機４０の送信アンテナ４５から送信された放送信号を、子機６０の受信アンテナ６１が受信し、子機６０の受信アンテナ６１は受信した放送信号を子機６０の変復調部６３に出力する。そして、子機６０は、親機４０と同様に、放送属性に係る情報に基づいて放送属性照合部６４によって放送属性照合処理を行い、また、親機４０から送信する際に付加した子機のアドレスに係る情報に基づいてアドレス照合部６５によってアドレス照合処理を行い、当該子機６０において音声情報を出力して告知放送を行うか否かを判断する。
【００６３】
以下では、親機４０の行う放送属性照合処理、アドレス照合処理、及び、放送信号送信処理について詳細に説明する。なお、上述したように、本実施の形態では子機６０も放送属性照合処理、及びアドレス照合処理を行うが、これらの処理は、親機４０の行う放送属性照合処理、及び、アドレス照合処理と同様の処理であるため、その詳細な説明を省略する。
【００６４】
（処理−放送属性照合処理）
初めに、放送属性照合処理について説明する。まず、放送属性照合部４３は親機４０の変復調部４２から出力された放送信号に含まれる放送属性を解析する。そして放送属性照合部４３は、この放送信号に含まれる放送属性と親機４０のメモリ５１に記憶された放送属性とを照合し、これらが一致するか否かを判定し、これらが一致しないと判定した場合は、放送すべきではないと判断し、放送信号を遮断する。一方、これらが一致すると判定した場合は、放送すべきであると判断し、親機４０のアドレス照合部４４に放送信号を出力する。なお、ユーザは、親機４０の操作部５３を用いて、放送属性をメモリ５１に追加あるいは削除することが可能であり、このようにして放送を行う必要の有る放送属性のみをメモリ５１に記憶しておくことが可能である。また、親機４０のメモリ５１と、子機６０のメモリ７１とには異なる放送属性を記憶しておくことが可能である。例えば、放送信号に含まれる放送属性が「町内会情報」であり、親機４０をリビングに設置し、子機６０を子供部屋に設置する場合を想定したとき、この場合、子供部屋で町内会情報を放送する必要がないと考えられるので、子機６０のメモリ７１には町内会情報を記憶せず、親機４０のメモリ５１にのみ町内会情報を記憶することで、リビングでのみ町内会情報の放送が行われるようにすることが可能である。
【００６５】
なお、放送属性照合部４３が、放送信号に含まれる放送属性を「緊急告知放送情報」であると判定した場合、放送属性照合部４３は、アドレス照合部４４を介さずに放送信号を音声切換え部４６に出力し、通常の告知放送とは異なる音量を高くする制御、あるいは緊急警報音を付加する制御を行うことも可能である。このようにすることで、緊急告知放送情報といった緊急性の高い放送については後述するアドレス照合処理を行わずに直ちに放送を行うことが可能である。
【００６６】
（処理−アドレス照合処理）
次に、アドレス照合処理について説明する。放送属性照合部４３から放送信号を受信したアドレス照合部４４は、放送信号に含まれるアドレスを解析する。そして放送属性照合部４３は、この放送信号に含まれるアドレスと親機４０のメモリ５１に記憶されたアドレスとを照合し、これらが一致するか否かを判定し、これらが一致しないと判定した場合は、放送すべきではないと判断し、放送信号を遮断する。一方、これらが一致すると判定した場合は、放送すべき放送信号であると判断し、音声切換え部４６に放送信号を出力する。そして放送信号を受信した音声切換え部４６は、音声情報を音量調整部４８及びアンプ４９を介してスピーカ５０に出力し、音声情報を受信したスピーカ５０が音声情報を出力して放送を行う。
【００６７】
なお、メモリ５１に記憶されるアドレスとしては、親機４０固有のアドレスの他に、複数の親機４０の相互間で複数のグループを構成するためのグループアドレスとしても良い。この場合は、放送センターから当該グループアドレスを含む放送信号を送信することで、当該グループアドレスがメモリ５１に記録されている全ての親機４０がこの放送信号を受信して放送を行う。
【００６８】
（処理−放送信号送信処理）
続いて、放送信号送信処理について説明する。まず、親機４０の変復調部４２が受信端子４１から出力された放送信号を受信した際に、親機４０の制御部５２は、親機４０のメモリ５１に「送信対象とする子機６０のアドレス」が記憶されているかを判断する。この「送信対象とする子機６０のアドレス」は、例えばユーザが、親機４０の操作部５３を操作することにより、予め親機４０のメモリ５１に記憶させておくことが可能である。そして、親機４０のメモリ５１にこの「送信対象とする子機６０のアドレス」が記憶されている場合、放送信号に含まれているアドレスに係る情報をこの「送信対象とする子機６０のアドレス」に書き換え、送信アンテナ４５に対して出力する。なお、メモリ５１に「送信対象とする子機６０のアドレス」が記憶されていない場合は、放送信号に含まれているアドレスに係る情報の書き換えを行わずに、送信アンテナ４５に出力する。このようにして、親機４０側を操作することで、特定の子機６０に対してのみ放送信号が受信されるように設定することが可能である。そして送信アンテナ４５は放送信号の無線送信を行う。
【００６９】
また、放送信号に含まれる放送属性によっては変復調部４２は送信アンテナ４５に対して放送信号を出力しなくても良い。この場合は、例えば、親機４０の送信アンテナ４５から送信を行うことを所望しない放送属性をユーザが予め親機４０のメモリ５１に記憶しておく。そして制御部５２は、親機４０の変復調部４２において受信した放送信号に含まれる放送属性と、当該ユーザが予め親機４０のメモリ５１に記憶した放送属性とが同一である場合は、変復調部４２から送信アンテナ４５への出力を停止する。このようにすることで、放送属性に基づいて、子機６０が受信する放送信号の属性を親機４０側で制御することが可能である。
【００７０】
なお、本実施の形態に係る受信機３０は、放送信号としてラジオ放送信号を受信することもあるが、その場合には上述した放送属性照合処理及びアドレス照合処理を行うことなく直ちに放送を行っても良い。なお、その場合であっても親機４０は放送信号送信処理を行い、ラジオ放送信号を子機６０に対して送信する。
【００７１】
（実施の形態１の効果）
このように実施の形態１によれば、親機４０は受信した放送信号を送信することができ、子機６０は親機４０より送信された放送信号を受信して告知放送を行うことができるため、ユーザが親機４０の近傍に居ない場合であっても子機６０を介して告知放送を聴取することが可能であり、ユーザが告知放送を聞き逃してしまうという可能性を低減させることが可能である。
【００７２】
また、親機４０から無線送信された放送信号が子機６０から出力されて放送されるため、ユーザが、受信機３０を設置した特定の位置に居ない場合であっても、当該子機６０を携帯することで告知放送を聴取することが可能となる。また、親機４０と子機６０とを有線接続することが困難な場所においても告知放送を聴取することが可能である。
【００７３】
また、一つの親機４０に対して複数の子機６０が接続されるため、子機６０を複数の位置に分散させて設置することが可能であり、告知放送を複数の位置において聴取することが可能である。
【００７４】
また、子機６０の記憶手段に記憶されたアドレスと同一のアドレスを含む放送信号のみを当該子機６０において出力することが可能であるため、放送信号に含ませるアドレスを適宜設定することによって、複数の子機６０のうちいずれの子機６０において告知放送を行わせるかを設定することが可能である。
【００７５】
また、親機４０及び子機６０において、ユーザが所望する放送属性に係る放送信号についてのみ告知放送を行うことが可能であり、ユーザが所望しない放送属性に係る放送信号については告知放送を行わないことが可能であるため、よりユーザの要望に適した告知放送を行うことが可能である。
【００７６】
また、放送属性が緊急告知放送である場合は、放送信号に含まれるアドレスに関係なく、放送信号を受信した全ての子機６０から緊急告知放送が行われるため、ユーザが緊急告知放送を聞き逃してしまう可能性を低減することが可能である。
【００７７】
また、子機６０において、出力する必要がないとユーザが判断した告知放送信号については、親機４０から子機６０に対して送信しないことが可能であり、子機６０が受信する放送信号の属性を親機４０側で制御することが可能である。
【００７８】
また、複数の親機４０と複数の子機６０のそれぞれにグループアドレスを設定することが可能であるため、複数の親機４０あるいは複数の子機６０に対して一斉に信号を受信させることが可能である。また、親機４０のグループアドレスと子機６０のグループアドレスとを異なるアドレスとすることが可能であるため、複数の親機４０と複数の子機６０に異なる放送信号を受信させることが可能である。
【００７９】
また、子機６０にチューナー６２が備えつけられているため、子機６０は、放送センターから送信されたラジオ信号を親機４０を介さずに直接受信することが可能であり、親機４０と子機６０とが接続出来ない状態にあっても、チューナー６２を介してラジオ放送信号（一般ラジオ放送、防災無線放送など）を放送センターから直接受信することが可能である。
【００８０】
〔実施の形態２〕
次に、実施の形態２について説明する。本実施の形態は、子機から親機に対して信号を送信可能とした形態である。なお、実施の形態２の構成や手順は、特記する場合を除いて実施の形態１の構成や手順と略同一であり、実施の形態１の構成や手順と略同一の構成や手順についてはこの実施の形態１で用いたのと同一の符号を必要に応じて付して、その説明を省略する。
【００８１】
（構成）
図３は、実施の形態２に係る告知放送システム２の受信機８０としての親機９０及び子機１００の概要図である。以下では、まず図３を参照にしつつ実施の形態２に係る告知放送システム２の受信機８０としての親機９０及び子機１００の構成について説明し、その後各構成要素が行う処理について説明する。
【００８２】
（構成−受信機−親機）
まずは告知放送システム２の受信機８０としての親機９０について説明する。この親機９０は、概略的に、送受信アンテナ９１、報知器９２、試験指示スイッチ９３、マイク９４、及びメモリ９５を備えて構成されている。
【００８３】
送受信アンテナ９１は、後述する子機１００の送受信アンテナ９１から送信された信号を受信する第一上り受信手段であり、親機９０の変復調部４２と電気的に接続されており、受信した信号を変復調部４２に出力する。なお、送受信アンテナ９１のこのような処理については後述する。
【００８４】
また、送受信アンテナ９１は、後述する子機１００の送受信アンテナ１０１に対して信号を送信する第一送信手段である。なお、このような送受信アンテナ９１の第一送信手段としての構成及び処理については、実施の形態１における送信アンテナ４５と同様の構成及び処理を採用することが可能であるため、その詳細な説明を省略する。
【００８５】
報知器９２は、報知処理を行う報知手段であり、例えば親機９０の筐体の外部等に設けられる。この報知器９２は、ユーザに対して後述する子機１００の報知指示スイッチ１０２が押圧されたことを報知するものであればどのような構成としても良く、例えば、報知音によりユーザに対して報知を行っても良いし、報知指示スイッチ１０２が押圧された旨を親機９０に表示することによりユーザに対して報知を行っても良い。
【００８６】
試験指示スイッチ９３は親機９０及び子機１００の試験的稼動を指示する試験指示手段であり、親機９０の筐体の外部又は子機１００の筐体の外部に設けられるが、本実施の形態においては、親機９０の筐体の外部に設けられるものとして説明する。この試験指示スイッチ９３を押圧することで、親機９０と子機１００との間で適切な信号の送受信が行われるか否かを確認する試験処理を開始することが出来る。なお、この試験処理については後述する。
【００８７】
マイク９４は音声を入力する入力手段であり、ユーザがこのマイク９４を通して入力した音声をメモリに格納することが可能である。メモリは、当該親機９０の各種制御に必要な情報を記録する記録手段であり、また、マイク９４により入力された音声を格納する格納手段である。この親機９０のメモリに格納された音声情報を後述する子機１００のスピーカ７０から出力することが可能であるため、親機９０から子機１００に対してメッセージを送ることが可能となる。
【００８８】
（構成−受信機−子機）
続いて、告知放送システム２の受信機８０における子機１００について説明する。この子機１００は、概略的に、送受信アンテナ１０１、報知指示スイッチ１０２、及び再生指示スイッチ１０３を備えて構成されている。
【００８９】
送受信アンテナ１０１は、信号を親機９０に対して送信する第二送信手段であり、子機１００の変復調部６３から出力された信号の無線送信を行う。このようにして無線送信した信号を親機９０の送受信アンテナ１０１が受信することで、子機１００から親機９０に対しての信号の送信が可能となる。
【００９０】
また、送受信アンテナ１０１は、親機９０の送受信アンテナ９１から送信された放送信号を受信する第二受信手段である。なお、このような送受信アンテナ１０１の第二受信手段としての構成及び処理については、実施の形態１における受信アンテナ６１と同様の構成及び処理を採用することが可能であるため、その詳細な説明を省略する。
【００９１】
報知指示スイッチ１０２は、ユーザから報知指示の入力を受け付ける報知指示手段であり、子機１００の筐体の外部に設けられる。そして、ユーザがこの報知指示スイッチ１０２が押圧することにより、親機９０に設置された報知器９２が作動し、親機９０の近傍に居るユーザに対して、子機１００に設置された報知指示スイッチ１０２が押圧された旨を報知することが可能である。なお、この報知処理については後述する。
【００９２】
再生指示スイッチ１０３は、親機９０のメモリ９５に格納された音声の再生指示の入力を受け付ける再生指示手段であり、子機１００の筐体の外部に設けられる。そして、ユーザがこの再生指示スイッチ１０３を押圧することにより、子機１００の音声記録部６７に格納された音声を子機１００のスピーカ７０から再生することが可能である。なお、この録音再生処理については後述する。
【００９３】
（処理）
次に、このように構成された受信機８０を用いて行われる処理について説明する。
【００９４】
（処理−録音再生処理）
初めに、録音再生処理について説明する。まず、ユーザは親機９０のマイク９４に向けて任意の音声を吹き込むことで親機９０のメモリ９５に対して音声を録音する。この録音方法としては公知の方法を採用することが可能であり、例えば、親機９０の外面に録音開始スイッチを設け、ユーザが当該録音開始スイッチを押圧してから再度当該録音開始スイッチを押圧するまでの間にマイク９４に吹き込まれた音声を録音することとしても良い。そして、ユーザが親機９０の操作部５３に設けた送信スイッチを操作することにより、親機９０の制御部５２は、親機９０のメモリ９５に音声が録音されているか否かを判定し、音声が録音されていると判定した場合には、その音声情報を親機９０の変復調部４２に出力し、これを受けた親機９０の変復調部４２は当該音声情報を送信用の音声信号に変調して親機９０の送受信アンテナ９１に対して出力する。そして親機９０の送受信アンテナ９１は、子機１００の送受信アンテナ１０１に対して音声信号を無線送信する。このようにして音声信号を受信した子機１００の送受信アンテナ１０１は、子機１００の変復調部６３に音声信号を出力し、これを受けた子機１００の変復調部６３は、この音声信号を復調して子機１００の制御部７２に送信する。そして子機１００の制御部７２は、音声情報を、音声切換え部６６、音量調整部６８、及びアンプ６９を介して子機１００のスピーカ７０に出力し、この音声情報を受信した子機１００のスピーカ７０が音声情報を出力する。同時に音声記録部６７に記録し、表示部７４で音声放送を受信した旨の表示を行う。
【００９５】
ここで、ユーザが子機１００の再生指示スイッチ１０３を押圧することにより、子機１００の制御部７２は、音声記録部６７に記録された音声情報を、音声切換え部６６、音量調整部６８、及びアンプ６９を介して子機１００のスピーカ７０に出力し、この音声情報を受信した子機１００のスピーカ７０が音声情報を出力する。このようにして、ユーザが子機１００の再生指示スイッチ１０３を押圧することで親機９０から送信された音声を子機１００のスピーカ７０から聴取することが可能となる。なお、子機１００は親機で記録された音声だけでなく、センター装置から送信された告知放送を記録し、再生指示スイッチ１０３の操作で再生することも可能である。一度再生された告知放送は、ユーザが確認できたので、記録は削除される。また、再生指示スイッチ１０３を操作したときは、子機１００から親機９０へ再生された旨の信号を送信し、親機９０の表示部５４で子機再生済みの表示を行うことで、子機側のユーザが放送を聴取したことを親機側ユーザが認識することができる。
【００９６】
（処理−報知処理）
次に、報知処理について説明する。まず、子機１００の制御部７２は報知指示スイッチ１０２が押圧されたか否かを所定間隔で監視する。そしてユーザがこの報知指示スイッチ１０２を押圧した場合、子機１００の制御部７２は報知指示スイッチ１０２が押圧された旨の信号を子機１００の変復調部６３に出力する。そして変復調部６３はこの信号を送信用の報知信号に変調し、子機１００の送受信アンテナ１０１に出力する。そしてこれを受けた子機１００の送受信アンテナ１０１は、親機９０の送受信アンテナ９１に対してこの報知信号を無線送信する。このようにして報知信号を受信した親機９０の送受信アンテナ９１は親機９０の変復調部４２に報知信号を出力し、変復調部４２はこの報知信号を復調して親機９０の制御部５２に出力する。ここで親機９０の制御部５２は、報知信号の受信を確認した場合、報知器９２を作動させる。このように、子機１００の報知指示スイッチ１０２を操作することで親機９０の報知器９２から報知音が出力されるため、ユーザが火事等の異常を察知した際に子機１００の報知指示スイッチ１０２を操作することで親機９０近傍の別のユーザに対して迅速に異常を通知することが可能となる。
【００９７】
（処理−試験処理）
最後に、試験処理について説明する。まず、親機９０の制御部５２は試験指示スイッチ９３が押圧されたか否かを常に監視する。そしてユーザがこの試験指示スイッチ９３を押圧した場合、親機９０の制御部５２は、親機９０のメモリ９５に記憶された子機１００のアドレスの中からいずれのアドレスに対して試験信号を送信するかの指示をユーザに対して促す。続いてユーザはこれらのアドレスの中から少なくとも一つ以上のアドレスを選択し、動作試験を所望する子機１００を選択する。そして親機９０の制御部５２は、このようにしてユーザに選択されたアドレスを付与した試験信号情報を親機９０の変復調部４２に出力する。そして親機９０の変復調部４２はこの信号を送信用の試験信号に変調して親機９０の送受信アンテナ９１に出力し、これを受けた親機９０の送受信アンテナ９１は、子機１００の送受信アンテナ１０１に対して当該試験信号を無線送信する。このようにして試験信号を受信した子機１００の送受信アンテナ１０１は子機１００の変復調部６３に試験信号を出力し、変復調部６３はこの試験信号を復調して子機１００の制御部７２に出力する。ここで子機１００の制御部７２は、試験信号の受信を確認した場合、試験信号を受信した旨を子機１００の表示部７４に表示する。
【００９８】
そして、各子機１００の制御部７２は、試験信号の受信を確認した場合、同様の方法で子機１００から親機９０に対して試験信号を送り返す。この際に各子機１００は試験信号に自己のアドレスを付与する。そして、親機９０の制御部５２は、親機９０において試験信号の送信対象としてユーザが選択した子機１００のアドレスと、親機９０に対して送り返された試験信号のアドレスとを比較し、親機９０又は子機１００の通信機能に異常が無いかを判断する。例えば、試験信号を親機９０に対して送り返していない子機１００がある場合は、その子機１００に何らかの不備があるものと判断し、その旨を親機９０の表示部５４に表示する。また、親機９０が子機１００に対して試験信号を送信することが出来ない場合は、親機９０に何らかの不備があるものと判断し、その旨を親機９０の表示部５４に表示する。このようにして、親機９０及び子機１００が適切に動作するかの確認を容易に行うことが可能である。
【００９９】
（実施の形態２の効果）
このように実施の形態２によれば、子機１００から親機９０に対して信号を送信することが可能であり、親機９０と子機１００との相互間において信号の送受信が可能となる。
【０１００】
また、親機９０のマイク９４において入力した音声を子機１００で再生することが可能であるため、親機９０近傍のユーザから子機１００近傍の別のユーザに対してメッセージを送信することが可能である。
【０１０１】
また、子機１００の報知指示スイッチ１０２を操作することで親機９０の報知器９２から報知処理が行われるため、ユーザが火事等の異常を察知した際に子機１００の報知指示スイッチ１０２を操作することで親機９０近傍の別のユーザに対して迅速に異常を通知することが可能となる。
【０１０２】
また、親機９０又は子機１００に設けられた試験指示スイッチ９３を操作することで親機９０及び子機１００の動作試験を行うことが可能であるため、親機９０及び子機１００が適切に動作するかの確認を容易に行うことが可能である。
【０１０３】
〔ＩＩＩ〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【０１０４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、ユーザが告知放送を聞き逃してしまうという可能性を低減させることが可能となっていない場合であっても、従来と異なる手段にて告知放送を聴取させることが可能となっている場合には、本願発明の課題が達成されている。
【０１０５】
（放送情報について）
放送情報は音声情報ではなく、例えば、画像情報や映像情報であっても良い。この場合は、親機４０や子機６０に対して画像又は映像を表示する表示手段を設けることとしても良い。
【０１０６】
（親機と子機の接続について）
親機４０と各子機６０は有線接続しても良い。この場合、親機４０は送信アンテナ４５の代わりに送信端子を備えており、子機６０は受信アンテナ６１の代わりに受信端子を備えており、これらの送信端子及び受信端子を同軸ケーブル等によって接続する構成とすることが可能である。
【０１０７】
（子機について）
子機６０、１００は壁面等に固定するタイプでも良いし、ユーザが携帯可能なタイプであってもよい。携帯可能な場合は、所持者が突然の大音量を聞いてパニックになることを防ぐために、緊急放送であっても最大音量とせずに一般の告知放送と同等にする等の切換え設定可能としてもよい。子機の筐体には防水加工を施しても良い。このようにすることで、子機を風呂場等にも携帯することが可能であり、通常は告知放送の聴取が出来ない場所であっても告知放送を聴取することが可能である。子機側に親機若しくは他の子機へ放送するマイクを備えても良い。
【０１０８】
（試験指示スイッチについて）
本実施の形態では、試験指示スイッチ９３を親機９０に設けることとして説明したが、試験指示スイッチ９３は子機１００に設けることとしても良い。この場合は、子機１００に設置された試験指示スイッチ９３を押圧することで子機１００の送受信アンテナ１０１から親機９０の送受信アンテナ９１に対して試験信号が送信され、親機９０及び子機１００が適切に動作するかの確認を容易に行うことが可能である。
【０１０９】
（放送属性照合処理及びアドレス照合処理について）
本実施の形態では放送属性照合処理、アドレス照合処理の順に処理を行うこととして説明したが、これに限らず、任意の順に処理を行うことが出来る。例えば、アドレス照合処理を行った後に放送属性照合処理を行う事としても良い。
【符号の説明】
【０１１０】
１、２  告知放送システム
１０  センター装置
１１、５３、７３  操作部
１２、５４、７４  表示部
１３、９４  マイク
１４  ＢＧＭ源
１５、５１、７１、９５  メモリ
１６  日時回路
１７  送信部
１８、５２、７２  制御部
２０  伝送系統
２１  ヘッドエンド
２２  伝送線路
２３、４９、６９  アンプ
２４  分配増幅器
２５  分配器
３０、８０  受信機
４０、９０  親機
４１  受信端子
４２、６３  変復調部
４３、６４  放送属性照合部
４４、６５  アドレス照合部
４５  送信アンテナ
４６、６６  音声切換え部
４７、６７  音声記録部
４８、６８  音量調整部
５０、７０  スピーカ
６０、１００  子機
６１  受信アンテナ
６２  チューナー
９１、１０１  送受信アンテナ
９２  報知器
９３  試験指示スイッチ
１０２  報知指示スイッチ
１０３  再生指示スイッチ
【図１】
2013255043.tif 000003
【図２】
2013255043.tif 000004
【図３】
2013255043.tif 000005